(57)【特許請求の範囲】
【請求項１】
床面に置かれたり、あるいは壁体に固定されたりするベース部と、
前記ベース部に、その一端部が結合されている長手方向に長い形状の第１棒部材と、
前記第１棒部材の他端部に具備され、光を発光する光源を含む照明部と、
前記ベース部に具備され、前記第１棒部材の一端部が結合されるように具備されたベース連結部と、を含んで構成された照明装置であり、
前記ベース連結部は、
前記ベース部に対して回転自在に結合された回転部材と、
前記回転部材に対して固定され、その中心部には、貫通形成されたベースカム貫通孔が具備されたベースカムと、
前記ベースカム貫通孔に具備され、前記第１棒部材の長手方向と直交するチルト回転中心軸を中心に一方向と他方向とに回転しながらなされるチルト動作が可能になるように具備され、その上端部には、前記第１棒部材の一端部が結合固定された柱状のメインシャフトと、
前記メインシャフトがチルト動作を行うことにより、前記メインシャフトに加えられる弾性支持力が変化するように具備された弾性部材と、を含んで構成され、
前記ベース部に固定され、前記回転部材を回転自在に支持して固定された第１固定部材と、
前記回転部材の下部に具備され、前記ベース部に固定され、前記回転部材の下側面を支持するように固定された第２固定部材と、をさらに具備し、
前記回転部材の下側面と、前記第２固定部材の上側面は、相互対面し、それらの間に、前記回転部材の回転動作を円滑にする金属球状の回転部材ボールが２個以上具備されたことを特徴とする照明装置。
【請求項２】
前記メインシャフトは、中空の柱状であり、その下端部には、貫通形成されたメインシャフト貫通孔が具備され、
前記メインシャフトは、その内部にカムシャフトをさらに具備し、
前記カムシャフトの下端部は、前記メインシャフト貫通孔を過ぎて延設され、
前記カムシャフトの下端部には、前記カムシャフトの長手方向に対して垂直方向に突設されたホルダ延長部分を具備したベースカム・ボールホルダがさらに具備され、
前記ベースカム貫通孔の内側面に突設され、前記ホルダ延長部分が接することができ、前記チルト回転中心軸までの距離がだんだんと変わる傾いた傾斜面を具備するように突設されたカム部がさらに具備され、
前記弾性部材は、前記メインシャフトの内部に具備され、前記カムシャフトが移動し、前記ベースカム・ボールホルダと、前記チルト回転中心軸との距離が変化すれば、それにより、弾性変形の程度が変化するように具備され、
前記メインシャフトがチルト動作を行えば、前記ホルダ延長部分が、前記カム部に沿って移動すると共に、前記弾性部材の変形程度が変化し、前記メインシャフトに加えられる前記弾性部材による弾性支持力が変化するように構成されたことを特徴とする請求項１に記載の照明装置。
【請求項３】
前記カムシャフトは、長い形状の本体部と、その本体部の上端部に直径が拡張された頭部と、を含んで構成され、
前記弾性部材は、コイル状のスプリングであり、前記カムシャフトの本体部に嵌め込まれ、前記カムシャフトの頭部によって加圧されるように具備され、
前記弾性部材は、前記カムシャフトが移動し、前記カムシャフトの本体部の下端部に固定されたベースカム・ボールホルダが、前記回転中心軸から遠くなる方向に移動すれば、前記カムシャフトの頭部に押され、さらに弾性変形されるように具備されたことを特徴とする請求項２に記載の照明装置。
【請求項４】
前記メインシャフトのチルト動作が、ユーザが位置している前方に向けてなされれば、前記ホルダ延長部分が、前記メインシャフト貫通孔に対して遠くなりながら、前記弾性部材がさらに弾性変形されるように構成されたことを特徴とする請求項２に記載の照明装置。
【請求項５】
前記カム部の傾斜面は、下に向かうように形成され、
前記ホルダ延長部分と、前記カム部の傾斜面との間には、両者の相対動作を円滑にする金属球状のホルダボールを少なくとも一つ具備するか、あるいは円柱状のホルダ円柱を少なくとも一つ具備することを特徴とする請求項２に記載の照明装置。
【請求項６】
前記回転部材とベースカムとのうち少なくとも一つには、前記メインシャフトの前方及び後方を向くチルト動作の範囲を制限するチルト角度制限ストッパ部が形成されたことを特徴とする請求項２に記載の照明装置。
【請求項７】
前記カムシャフトの下端部には、ネジ山が形成され、そのネジ山にナットが締結され、前記弾性部材、カムシャフト及びベースカム・ボールホルダが相互結合されたことを特徴とする請求項２に記載の照明装置。
【請求項８】
前記回転部材は、その中心部に貫通形成された回転部材貫通孔が形成され、
前記回転部材には、前記回転部材貫通孔を覆う大きさの板状のカバー部材が、前記回転部材に対して移動自在に具備され、
前記カバー部材には、前記メインシャフトを貫通するカバー部材貫通孔が形成され、
前記カバー部材は、前記メインシャフトがチルト動作を行いながら動くことにより、前記カバー部材貫通孔に嵌め込まれたメインシャフトと共に動き、前記回転部材貫通孔の貫通された部分が外部に露出しないように構成されたことを特徴とする請求項１に記載の照明装置。
【請求項９】
前記回転部材の前記ベース部に対する回動の回転角度を制限するように、前記ベース部及び前記回転部材のうちいずれか一つには、突設された回転角度制限突起部が形成され、他の一つには、前記突起部の動きを制限するように突設された回転角度制限ストッパが形成されたことを特徴とする請求項１に記載の照明装置。
【請求項１０】
前記第１棒部材の他端部には、長い形状の第２棒部材が連結され、前記第１棒部材と第２棒部材は、中間連結部によって相互連結され、
前記照明部は、前記第２棒部材の端部に結合されたことを特徴とする請求項１に記載の照明装置。
【発明の詳細な説明】
【技術分野】
【０００１】
本発明は、照明装置に係り、さらに詳細には、連結部の構造を改善することにより、ユーザがさらに便利であってソフトに照明部の位置変更が可能な照明装置に関する。
【背景技術】
【０００２】
照明装置は、一般的に、蛍光灯、白熱灯、発光ダイオード（ＬＥＤ）電球など多様な光源を含み、その具体的な形態は、多様である。
【０００３】
かような照明装置のうち、天井灯のような照明装置は、住宅や事務室の天井に設置され、広い範囲を照明する装置であり、スタンドのような照明装置は、必要によって相対的に、狭い範囲を照明するために使用される照明装置である。
【０００４】
特に、スタンドのような照明装置は、机や床に載せられて使用されたり、あるいは壁体にベース部が固定されたりして使用される。かような照明装置は、ユーザが本を読んだり、あるいはある必要性によって、制限的な空間の照明が必要なとき、必要な部分を必要な照度でもって照明するように、光源を含んだ照明部の移動が可能であるという長所のために多用されている。
【０００５】
かようなスタンドのような照明装置は、一般的に、ベース部と、ベース部の上部に突出した支持台と、かような支持台の端部に連結されて光を発光する光源が具備された照明部とから構成される。
【０００６】
特に、前記ベース部と支持台とを連結する部分、及び支持台と照明部とを連結する部分には、関節のような動きが可能な連結部が具備される。かような連結部を具備しているために、必要時に、ベース部に対する支持台の角度を変更させながら、照明部を所望位置に調節することができる。
【０００７】
しかし、従来のスタンドのような連結部を含んだ照明装置は、全体構成及び連結部の構造上の限界により、ベース部と支持台とを連結する部分の関節部分の動作が満足すべきものではなく、ユーザが、照明部の位置を移動させることが便利に行われ難かったり、あるいは不可能であるという問題があった。すなわち、照明部の位置移動に不便さを感じるという問題点があった。
【発明の概要】
【発明が解決しようとする課題】
【０００８】
本発明は、前述の従来の連結部を含んだスタンドのような照明装置が有する問題点を解決するために提案されたものであり、ユーザが照明部を所望の位置に移動させる動作が、容易であって便利であり、かつ小さい力でもソフトに行われる照明装置を提供するところにその目的がある。
【課題を解決するための手段】
【０００９】
前記のような目的を達成するために、本発明は、床面に置かれたり、あるいは壁体に固定されたりするベース部と、前記ベース部にその一端部が結合されている長手方向に長い形状の第１棒部材と、前記第１棒部材の他端部に具備され、光を発光する光源を含む照明部と、前記ベース部に具備されるが、前記第１棒部材の一端部が結合されるように具備されたベース連結部と、を含んで構成された照明装置であり、前記ベース連結部は、前記ベース部に対して回転自在に結合された回転部材と、前記回転部材に対して固定され、その中心部には、貫通形成されたベースカム（base cam）貫通孔が具備されたベースカムと、前記ベースカム貫通孔に具備され、前記第１棒部材の長手方向と直交するチルト回転中心軸を中心に一方向と他方向とに回転しながらなされるチルト動作が可能になるように具備され、その上端部には、前記第１棒部材の一端部が結合固定された柱状のメインシャフト（main shaft）と、前記メインシャフトがチルト動作を行うことにより、前記メインシャフトに加えられる弾性支持力が変化されるように具備された弾性部材と、を含んで構成され、前記ベース部に固定され、前記回転部材を回転自在に支持して固定された第１固定部材と、前記回転部材の下部に具備され、前記ベース部に固定され、前記回転部材の下側面を支持するように固定された第２固定部材と、をさらに具備し、前記回転部材の下側面と、前記第２固定部材の上側面は、相互対面し、それらの間に、前記回転部材の回転動作を円滑にする金属球状の回転部材ボールが２個以上具備されたたことを特徴とする。
【００１０】
一方、前記メインシャフトは、中空の柱状であり、その下端部には、貫通形成されたメインシャフト貫通孔が具備され、前記メインシャフトは、その内部にカムシャフトをさらに具備し、前記カムシャフトの下端部は、前記メインシャフト貫通孔を過ぎて延設され、前記カムシャフトの下端部には、前記カムシャフトの長手方向に対して垂直方向に突設されたホルダ延長部分を具備したベースカム・ボールホルダ（base cam ball holder）がさらに具備され、前記ベースカム貫通孔の内側面に突設され、前記ホルダ延長部分が接することができ、前記チルト回転中心軸までの距離がだんだんと変わる傾いた傾斜面を具備するように突設されたカム部がさらに具備され、前記弾性部材は、前記メインシャフトの内部に具備され、前記カムシャフトが移動し、前記ベースカム・ボールホルダと、前記チルト回転中心軸との距離が変化すれば、それにより、弾性変形の程度が変化するように具備され、前記メインシャフトがチルト動作を行えば、前記ホルダ延長部分が、前記カム部に沿って移動すると共に、前記弾性部材の変形程度が変化し、前記メインシャフトに加えられる前記弾性部材による弾性支持力が変化するように構成されたことが望ましい。
【００１１】
そして、前記カムシャフトは、長い形状の本体部と、その本体部の上端部に直径が拡張された頭部と、を含んで構成され、前記弾性部材は、コイル状のスプリングであり、前記カムシャフトの本体部に嵌め込まれ、前記カムシャフトの頭部によって加圧されるように具備され、前記弾性部材は、前記カムシャフトが移動し、前記カムシャフトの本体部の下端部に固定されたベースカム・ボールホルダが、前記回転中心軸から遠くなる方向に移動することになれば、前記カムシャフトの頭部に押されて弾性変形がさらになされるように具備されたことが望ましい。
【００１２】
一方、前記メインシャフトのチルト動作が、ユーザが位置している前方に向けてなされれば、前記ホルダ延長部分が、前記メインシャフト貫通孔に対して遠くなりながら、前記弾性部材がさらに弾性変形されるように構成されたことが望ましい。
【００１３】
また、前記カム部の傾斜面は、下に向かうように形成され、前記ホルダ延長部分と、前記カム部の傾斜面との間には、両者の相対動作を円滑にする金属球状のホルダボール（holder ball）を少なくとも一つ具備したことが望ましい。
【００１４】
一方、前記回転部材とベースカムとのうち少なくとも一つには、前記メインシャフトの前方及び後方を向いたチルト動作の範囲を制限するチルト角度制限ストッパ部が形成されたことが望ましい。
【００１５】
また、前記カムシャフトの下端部には、ネジ山が形成され、そのネジ山にナットが締結され、前記弾性部材、カムシャフト及びベースカム・ボールホルダが相互結合されたことが望ましい。
【００１８】
前記回転部材は、その中心部に貫通形成された回転部材貫通孔が形成され、前記回転部材には、前記回転部材貫通孔を覆うことができる大きさの板状のカバー部材が、前記回転部材に対して移動自在に具備され、前記カバー部材には、前記メインシャフトを貫通するカバー部材貫通孔が形成され、前記カバー部材は、前記メインシャフトがチルト動作を行いながら動くことにより、前記カバー部材貫通孔に嵌め込まれたメインシャフトと共に動き、前記回転部材貫通孔の貫通された部分が外部に露出しないように構成されたことが望ましい。
【００１９】
前記回転部材の前記ベース部に対する回動の回転角度を制限するように、前記ベース部及び前記回転部材のうちいずれか一つには、突設された回転角度制限突起部が形成され、他の一つには、前記突起部の動きを制限するように突設された回転角度制限ストッパが形成されたことが望ましい。
【００２０】
前記第１棒部材の他端部には、長い形状の第２棒部材が連結され、前記第１棒部材と第２棒部材は、中間連結部によって相互連結され、前記照明部は、前記第２棒部材の端部に結合されたことが望ましい。
【発明の効果】
【００２１】
本発明の照明装置によれば、照明部の位置をユーザ所望の地点に移動させる動作が、小さい力でもソフトになされるという効果を得ることができる。
【図面の簡単な説明】
【００２２】
【図１】本発明の一実施形態による照明装置の斜視図である。
【図２】本発明の一実施形態による照明装置の概略的な部分分解斜視図である。
【図３】図２のベース連結部について説明するための図面である。
【図４】図３のベース連結部の分解斜視図である。
【図５】図３の概略的な立体縦断面図である。
【図６】図３のベースカムとメインシャフトとについて主に説明するための図面である。
【図７】図３の概略的な縦断面図である。
【図８】図３のメインシャフトのチルト動作について説明するための図面である。
【図９】メインシャフトのチルト動作について断面図でもって説明するための図面である。
【図１０】メインシャフトのチルト動作について断面図でもって説明するための図面である。
【図１１】メインシャフトのチルト動作について断面図でもって説明するための図面である。
【図１２】ベース部とベース連結部との相互連結関係が、前述の実施形態に比べて変形された構成について説明するための図面である。
【図１３】ベース部とベース連結部との相互連結関係が、前述の実施形態に比べて変形された構成について説明するための図面である。
【図１４】ホルダ延長部分とカム部との相対動作をさらに円滑にするために、前述の実施形態に比べて変形された構成について説明するための図面である。
【図１５】ホルダ延長部分とカム部との相対動作をさらに円滑にするために、前述の実施形態に比べて変形された構成について説明するための図面である。
【発明を実施するための形態】
【００２３】
以下、添付された図面を参照し、本発明の実施形態についてさらに詳細に説明する。
【００２４】
図１は、本発明の一実施形態による照明装置の斜視図であり、図２は、図１の照明装置が部分分解斜視図として例示された図面であり、図３ないし図１１は、図１の照明装置の各部品及び動作について説明するための図面である。
【００２５】
本発明の照明装置は、主に机に載せて使用する、いわゆるスタンドとして実施されるが、それに限定されるものではなく、連結部の構成を採用した状態でもって多様な変形が可能である。
【００２６】
すなわち、ベース部を壁体に固定させて連結部を動作させ、照明部を所望の位置に移動させる構成の照明装置として実施することも可能である。また、第１棒部材の長さを長くし、ベース部を机ではない室内空間の床面に置いて使用するフロア照明装置として実施することも可能である。
【００２７】
図１に例示された本実施形態の照明装置１は、机やテーブルに置かれて主に使用されるスタンド用照明装置であり、ベース部１０、第１棒部材２０、照明部３０及びベース連結部４０を含んで構成される。
【００２８】
前記ベース部１０は、机の底面に置かれて使用され、照明装置を構成する残りの構成が結合されて支持される部分である。他の実施形態の場合、ベース部は、壁体に固定されて使用されもし、室内空間の床面に置かれて使用されもする。
【００２９】
本実施形態の場合、ベース部１０は、相互結合された上部ケース１０２と下部ケース１０４とを含む。上部ケース１０２は、下部ケース１０４に分離可能に結合される。一方、上部ケース１０２の一側には、照明部の光源のオン／オフと照度とを調節することが可能なスイッチ部１０６が具備されている。下部ケース１０４は、ベース部１０に固定される他の構成の動作時、安定感を与えるために重く設けられもする。
【００３０】
前記第１棒部材２０は、ベース部１０に、その一端部である下端部が結合されている薄くて長手方向に長い形状の部材である。第１棒部材２０は、中空パイプでもあり、横断面が円形であったり、あるいは多角形であったりする棒部材でもある。
【００３１】
前記照明部３０は、第１棒部材２０の他端部である上端に具備される。図１に例示された照明装置１の照明部３０は、第２棒部材６０を挟んで第１棒部材２０の他端部に具備されている。一方、実施形態により、照明部３０は、第１棒部材２０の他端部に直接連結されもする。また、実施形態により、該照明部は、第１棒部材の他端部に、関節部や連結部のような位置変更が可能な構成なしに、直接固定されもする。
【００３２】
照明部３０には、電気が供給されれば光を発光する光源が含まれている。本実施形態の場合、光源は、多数の発光ダイオード（ＬＥＤ）電球である。他の実施形態の場合、光源で、通常の蛍光灯、白熱灯、ハロゲンなどが適用される。
【００３３】
前記ベース連結部４０は、ベース部１０に具備され、第１棒部材２０の一端部である下端部が結合される。
【００３４】
ベース連結部４０は、回転部材４１、ベースカム（base cam）４２、メインシャフト（main shaft）４３及び弾性部材４４を含んで構成される。ベース連結部４０を具備することにより、第１棒部材２０がベース部１０に対して回動自在であり、特に、傾く動作であるチルト動作も可能である。
【００３５】
前記回転部材４１は、ベース部１０に対して回転自在に結合される。本実施形態の場合、回転部材４１は、第１固定部材５２により、ベース部１０に対して回転自在に結合される。
【００３６】
すなわち、第１固定部材５２は、４個のネジ部材５２２により、ベース部１０を構成する上部ケース１０２に固定されるが、その中央部分に形成された貫通された部分に、回転部材４１の直径が縮小された部分の外周面が嵌め込まれて支持されている。従って、回転部材４１は、ベース部１０に対して回動が可能である。
【００３７】
また、本実施形態の場合、回転部材４１の下部に、第２固定部材５３がさらに具備される。第２固定部材５３は、回転部材４１の下側面を支持し、ベース部１０の下部をなすケース１０４に固定される。一方、実施形態により、第２固定部材５３が第１固定部材５２に結合されもする。
【００３８】
なお、回転部材４１の下側面と、第２固定部材５３の上側面は、相互対面するように構成されているが、それらの間には、回転部材４１の回転動作が円滑になされるように、金属球状の回転部材ボール４１２が４個具備されている。
【００３９】
すなわち、ベース部１０に対して固定された第２固定部材５３の上側面に、円に沿って相互同一間隔をなし、４個の金属ボールが載せられており、その金属ボールの上に回転部材４１が載せられている構成である。金属ボールは、あたかも一般的なベアリング部品内のボールのような役割を担う。一方、回転部材ボールは、実施形態によって、最小２個具備されもし、必要により、５個あるいは６個なども可能である。
【００４０】
本実施形態の場合、回転部材４１の中心部には、貫通形成された回転部材貫通孔４１４が形成されている。貫通孔４１４には、メインシャフト４３が通過する。貫通孔４１４は、本実施形態の場合、メインシャフト４３のチルト動作が可能になるように、ほぼ長方形の形態である。
【００４１】
回転部材４１には、カバー部材５４が具備されている。カバー部材５４は、回転部材貫通孔４１４を介して、外部異物がベース連結部４０の内部空間に流入することを防止する役割を担う。
【００４２】
メインシャフト４３が長方形の回転部材貫通孔４１４内でチルト動作を行いながら動く場合にも、回転部材貫通孔４１４の開放面のうち、メインシャフト４３が占める部分を除き、外部に開放された残りの部分を常に覆っているように構成される。
【００４３】
カバー部材５４は、回転部材貫通孔４１４を覆うことができる大きさの薄板状の部材である。カバー部材５４には、メインシャフト４３を貫通するカバー部材貫通孔５４２が形成されている。カバー部材５４の長手方向両端部は、回転部材４１の両側に形成されたスリット４１６を介してスライディング移動可能である。
【００４４】
すなわち、図３を参照すれば、カバー部材５４は、メインシャフト４３が、矢印１０９方向にチルト動作を行いながら動くことにより、回転部材４１のスリット４１６に案内され、カバー部材貫通孔５４２に嵌め込まれたメインシャフト４３と共に動くことにより、結局、回転部材貫通孔５４２の開放された部分を外部に露出させない。
【００４５】
一方、本実施形態の場合、回転部材４１のベース部１０に対する回転角度が制限される。回転部材４１の回転範囲は、ほぼ３００゜範囲内で回転がなされるように制限される。このために、回転部材４１の外周面には、回転角度制限突起部５６が形成され、ベース部１０に固定された第２固定部材５３には、回転角度制限ストッパ５８が形成されている。突起部とストッパとの具備される位置や大きさには、制限がない。
【００４６】
前記ベースカム４２は、回転部材４１に、ネジ４２４によって固設されている。すなわち、回転部材４１がベース部１０に対して回転すれば、ベースカム４２も、回転部材と共に回転する。ベースカム４２の中心部分には、上下方向に貫通形成されたベースカム貫通孔４２２が具備されている。貫通孔４２２には、メインシャフト４３が貫通設置される。
【００４７】
本実施形態の場合、ベースカム貫通孔４２２の内側面には、その中心部に向けて突設されたカム部４７が具備されている。カム部４７は、ホルダ延長部分４６２が接することができ、チルト回転中心軸Ｃ２までの距離がだんだんと変わる傾いた傾斜面４７２を具備するように突設される。上の距離変化をもたらすカム部４７の傾斜面４７２の具体的な形状は、実施形態によって、弾性部材４４を圧縮する程度を考慮して変形可能である。
【００４８】
また、本実施形態の場合、傾斜面４７２は、下に向かうように形成されている。
【００４９】
図９（ｂ）を参照すれば、カム部４７の傾斜面４７２は、チルト回転中心軸Ｃ２からの距離が、点１ Ｐ１とチルト回転中心軸Ｃ２との距離より、点２ Ｐ２とチルト回転中心軸Ｃ２との距離がさらに長く、またそれより、点２ Ｐ３と回転中心軸Ｃ２との距離がさらに長い。突出したカム部の傾斜面４７２は、回転中心軸までの距離がだんだんと長くなるように形成されている。
【００５０】
前記メインシャフト４３は、中空の柱状であり、ベースカム貫通孔４２２に、上下方向に長く具備される。すなわち、メインシャフト４３は、全体的に上が開放された円筒状であり、下端部の中心部分には、貫通形成されたメインシャフト貫通孔４３２が形成されている。
【００５１】
メインシャフト４３は、第１棒部材２０の長手方向Ｃ１と直交するチルト回転中心軸Ｃ２を中心に、一方向と他方向（図３の矢印１０９参照）とに回転しながらなされるチルト動作が可能になるように具備される。
【００５２】
メインシャフト４３の上端部には、第１棒部材２０の一端部である下端部が結合固定されている。メインシャフト４３の下部には、ベースカム４２の貫通孔４２２の内側面に形成された載置溝に結合されるように突設された載置突出部分４３４が両側に具備されている。載置突出部分４３４は半円柱状と類似する形状を有している。
【００５３】
メインシャフト４３は、両側から、ベースカム４２と載置突出部分４３４とを貫いて挿入された２個の回転軸ピン４３５により、ベースカム４２に回転自在に結合されている。
【００５４】
前記弾性部材４４は、メインシャフト４３がチルト動作を行うことにより、メインシャフト４３に加えられる弾性支持力が変化するように具備される。一方、本実施形態の場合、弾性部材４４は、コイル状のスプリングである。スプリングは、カムシャフト本体部４５４に嵌め込まれ、頭部４５６によって加圧されるように具備される。
【００５５】
本実施形態の場合、メインシャフト４３は、中空の柱状である。メインシャフト４３の下端部には、上下方向に貫通形成されたメインシャフト貫通孔４３２がある。
【００５６】
また、メインシャフト４３の内部には、カムシャフト４５が具備されている。カムシャフト４５は、図４を参照すれば、薄くて長い形状の本体部４５４と、その本体部４５４の上端部に直径が拡張された頭部４５６と、を含んで構成される。カムシャフト４５の下端部４５２は、メインシャフト貫通孔４３２を過ぎて延設される。
【００５７】
カムシャフト４５の下端部４５２には、ベースカム・ボールホルダ（base cam ball holder）４６が結合されている。ベースカム・ボールホルダ４６は、カムシャフト４５の長手方向に対して垂直方向に、両側に突設された１対のホルダ延長部分４６２を具備する。
【００５８】
ホルダ延長部分４６２は、カム部４７の傾斜面４７２に接するように構成され、メインシャフトのチルト動作時、傾斜面４７２に接して案内を受けながら移動する。一方、本実施形態の場合、ホルダ延長部分４６２と、カム部４７の傾斜面４７２との間には、両者の相対動作を円滑にする金属球状のホルダボール（holder balｌ）４８が両側に一つずつ全２個具備されている。
【００５９】
また、カムシャフト４５の下端部４５２には、ネジ山が形成され、そのネジ山に、ナット４５１が締結されている。かような構成により、弾性部材４４、カムシャフト４５及びベースカム・ボールホルダ４６が相互結合されている。
【００６０】
一方、ベースカム４２の貫通孔４２２の内側には、メインシャフト４３の前方及び後方を向くチルト動作の範囲を制限するチルト角度制限ストッパ部５１が形成されている。ストッパ部５１は、溝の形状であり、メインシャフト４３の外周面には、突設されたチルト角度制限突起部５０が形成されている。
【００６１】
一方、前記弾性部材４４は、メインシャフト４３の内部に具備されるが、カムシャフト４５が軸方向に移動し、ベースカム・ボールホルダ４６と回転中心軸Ｃ２との距離が変化すれば、それにより、弾性変形の程度が変化するように具備される。
【００６２】
従って、第１棒部材２０が結合されたメインシャフト４３がチルト動作を行えば、ホルダ延長部分４６２がカム部４７に沿って移動すると共に、弾性部材４４の変形程度が変化し、それにより、メインシャフト４３に加えられる弾性部材４４による弾性支持力が変化するように構成されている。
【００６３】
本実施形態の場合、弾性部材４４は、カムシャフト４５が軸方向に移動し、カムシャフト４５の本体部４５４の下端部４５２に固定されたベースカム・ボールホルダ４６が、回転中心軸Ｃ２から遠くなる方向に移動すれば、カムシャフトの頭部４５６に押され、弾性変形がさらになされるように具備されている。
【００６４】
また、本実施形態の場合、本実施形態の照明装置１を、ユーザが座っている机に載せたとき、メインシャフト４３のチルト動作が、ユーザが位置している前方に向けてなされれば、ホルダ延長部分４６２が回転中心軸Ｃ２から遠くなりながら、弾性部材４４がさらに圧縮されるように構成されている。
【００６５】
一方、本実施形態の照明装置１は、第１棒部材２０の他端部に、第２棒部材６０が連結されている。第１棒部材２０と第２棒部材６０は、中間連結部２５によって相互連結されている。
【００６６】
また、照明部３０は、第２棒部材６０の端部に結合されている。照明部３０と第２棒部材６０は、照明連結部３５によって連結されている。
【００６７】
以下、前述の構成を有する照明装置１の作用及び効果について説明する。
【００６８】
本実施形態の照明装置１は、ベース部１０に対して回転自在に結合された回転部材４１を具備しているために、回転部材４１に固定され、回転部材４１と共に動くメインシャフト４３も、図３の矢印１０８方向に、回転する動きが可能である。
【００６９】
回転動作は、回転部材４１と、第１固定部材５２とによって自然回転されれば、摩擦抵抗を最小にするために、回転部材４１の下側面に回転部材ボール４１２が挿入されていることから、第２固定部材５３の上でころがる作用を行いながら回転がさらに容易になされる。
【００７０】
そのとき、回転自在範囲は、回転角度制限突起部５６とストッパ部５８との構成により、所望の範囲内に限定することが可能である。
【００７１】
メインシャフト４３のチルト動作について説明する。カムシャフト４５の下端部に締結されたナット４５１により、弾性部材４４と、ベースカム・ボールホルダ４６とが構成されている。従って、メインシャフト４３がチルト動作を行うことにより、メインシャフト４３の内部に具備され、共にチルト動作を行うカムシャフト４５は、カム部４７の傾斜面４７２に沿って動く。
【００７２】
そのとき、ベースカム・ボールホルダ４６とチルト回転中心軸Ｃ２との距離差により、弾性部材４４の圧縮と引っ張りとがなされつつ、区間ごとに力の平衡を維持することになる。すなわち、照明部３０などを含んだ部分の重さによって傾いたメインシャフト４３が、続けて傾こうとする力と、弾性変形された弾性部材４４の弾性回復力と、相互に接する面の摩擦力とが、相互均衡し、照明部３０が所望の位置に留まらせる。
【００７３】
図８は、メインシャフト４３が、チルト回転中心軸Ｃ２を中心にチルト動作されるところを連続的に表現した図面である。図７のＡ−Ａ線による断面図、Ｂ−Ｂ線による断面図とを、それぞれ図９（ａ）及び図９（ｂ）、並びに図１０（ａ）及び図１０（ｂ）で提示した図面を参照し、以下、メインシャフト４３の動作について説明する。
【００７４】
図９（ａ）及び図９（ｂ）は、メインシャフト４３が垂直である状態を表現したものである。ベースカム４２は、回転部材４１に固定されている。弾性部材４４は、ホルダボール４８がカム部４７の傾斜面４７２に接しており、ある程度圧縮されている状態である。
図１０（ａ）及び１０（ｂ）は、メインシャフト４３が、垂直状態でユーザから遠くなる方向にチルトされた状態、すなわち、後方へ傾いた状態を表現したものである。カムシャフト４５の下端部４５２に結合されたベースカム・ボールホルダ４６のホルダ延長部分４６２が、カム部４７の傾斜面４７２に沿って、図１０（ｂ）の左側に移動しながら、ベースカム・ボールホルダ４６からチルト回転中心軸Ｃ２までの距離が縮小された。それにより、弾性部材４４の弾性変形程度が図９（ａ）及び図９（ｂ）に比べて若干短くなった。
【００７５】
図１１（ａ）及び図１１（ｂ）は、メインシャフト４３が、垂直状態でユーザに近くなる方向にチルトされた状態、すなわち、前方へ傾いた状態を表現したものである。カムシャフト４５の下端部４５２に結合されたベースカム・ボールホルダ４６のホルダ延長部分４６２が、カム部４７の傾斜面４７２に沿って、図１１（ｂ）の右側に移動しながら、ベースカム・ボールホルダ４６からチルト回転中心軸Ｃ２までの距離が延長された。それにより、カムシャフトの頭部４５６が下降しつつ、弾性部材４４を押して弾性変形が増大した。
【００７６】
図９（ａ）ないし図１１（ｂ）で説明したチルト動作メカニズムにより、メインシャフト４３が特定位置にチルトされた状態で力の均衡がなされる。また、メインシャフト４３が特定の地点で力の均衡をなしている状態で、ユーザが照明部３０の位置を変更する場合、すなわち、メインシャフト４３の傾いた程度を変更しようとする場合、ユーザは、きわめて若干の力だけを、メインシャフトと連結された第１棒部材、あるいは直接照明部に加えればよいという長所がある。それは、弾性部材４４の弾性変形と関連があるからである。
【００７７】
また、メインシャフト４３のチルト動作時、動作可能な角度は、ユーザがいる前方側には、垂直軸に対して３０゜ほど、そしてその後方側には、２５゜ほどになるように構成されている。かようなチルト動作可能角度制限は、チルト角度制限ストッパ部５１とチルト角度制限突起部５０とによって達成される。
【００７８】
また、チルト動作がなされる間にも、カバー部材５４を具備しているために、回転部材貫通孔４１４の内部に異物が入ることを防止することができるという長所がある。
【００７９】
なお、図１２及び図１３には、前述の実施形態の照明装置１のベース部１０と、ベース連結部４０との相互連結関係が若干異なる構成が図示されている。
【００８０】
図１２に例示されたベース部は、上部ケース１０２ａと下部ケース１０４ａとを含む。図１２及び図１３に図示された構成が、前述の実施形態と異なる点は、ベース連結部４０ａの全体構成が下部ケース１０４ａに固定されているという点である。
【００８１】
すなわち、前述の実施形態の照明装置では、ベース連結部４０の第１固定部材５２が上部ケース１０２に固定されているが、本実施形態の場合には、第１固定部材５２ａが下部ケース１０４ａに、ネジ部材５２２ａによって固定されている。そのとき、下部ケース１０４ａは、重くて堅固な金属材質であることが望ましい。かような構成により、物理的な動きがあるベース連結部４０ａがさらに耐久性を具備することができる。
【００８２】
図１２及び図１３に図示された構成は、同じ参照番号を使用する前述の実施形態の対応構成と同一の役割を担う。
【００８３】
また、図１４及び図１５には、ホルダ延長部分とカム部との相対動作をさらに円滑にするための構成が例示されている。
【００８４】
図１４の場合、最初の実施形態と比較し、ホルダ延長部分４６２ｂとカム部の傾斜面４７２ｂとの間に、両者の相対動作を円滑にする円柱状のホルダ円柱４８ｂが両側に一つずつ、全２個が具備されているという点が異なる。前述の実施形態では、ホルダ円柱の代わりに、金属球状のホルダボールが具備されており、相互接する部分が点であったということに比べ、図１４に図示された例では、円柱状のホルダ円柱４８ｂの場合には、接する部分が線であり、さらに安定した動きが可能であるという効果がある。
【００８５】
また、図１５には、前述の実施形態と比較し、ホルダ延長部分４６２ｃとカム部の傾斜面４７２ｃとの間に、両者の相対動作を円滑にする部材４８ｃを両側に一つずつ、全２個具備されているという点が異なる。すなわち、部材４８ｃの形状を適切に構成し、カム部の傾斜面とホルダ延長部分との相互接する部分で、面接触が起きるのである。面接触状態で、相互動作が生ずれば、前述の実施形態に比べ、さらに安定した動きが可能であるという効果がある。
【図１】
0005829764.tif 000002
【図２】
0005829764.tif 000003
【図３】
0005829764.tif 000004
【図４】
0005829764.tif 000005
【図５】
0005829764.tif 000006
【図６】
0005829764.tif 000007
【図７】
0005829764.tif 000008
【図８】
0005829764.tif 000009
【図９（ａ）】
0005829764.tif 000010
【図９（ｂ）】
0005829764.tif 000011
【図１０（ａ）】
0005829764.tif 000012
【図１０（ｂ）】
0005829764.tif 000013
【図１１（ａ）】
0005829764.tif 000014
【図１１（ｂ）】
0005829764.tif 000015
【図１２】
0005829764.tif 000016
【図１３】
0005829764.tif 000017
【図１４】
0005829764.tif 000018
【図１５】
0005829764.tif 000019